(57)【特許請求の範囲】
【請求項１】
バドミントンのシャトルを収集するシャトル集め機において、
床面を移動する本体を備え、
上記本体には、上記床面と対向する底面から側面に渡って形成される、上記シャトルを収容可能な溝を有し、
上記溝の幅寸法は、上記シャトルの長さ寸法よりも小さく、
上記本体は、上記シャトルがコックを中心に上記床面を回転する性質を利用して、上記シャトルの上記コックを上記溝の上記側面側の入口に向かせるように向きを揃えるシャトル回転部材を備えることを特徴とするシャトル集め機。
【請求項２】
バドミントンのシャトルを収集するシャトル集め機において、
床面を移動する本体を備え、
上記本体は、その側面に上記シャトルを収容可能な穴を有し、
上記穴の径は、上記シャトルの長さ寸法よりも小さく、
上記本体は、上記シャトルがコックを中心に上記床面を回転する性質を利用して、上記シャトルの上記コックを上記穴の入口に向かわせるように向きを揃えるシャトル回転部材を備えることを特徴とするシャトル集め機。
【請求項３】
請求項１または２に記載のシャトル集め機において、
上記入口には、上記シャトルがそのコック側から上記入口に入ることを許容するが、羽根側からは上記入口に入ることを阻止し、且つ、一旦上記シャトルが上記入口から入ったら、上記シャトルが上記入口から出る逆流を防止する弁を備えることを特徴とするシャトル集め機。
【請求項４】
請求項１から３のいずれか１項に記載のシャトル集め機において、
上記入口の周囲から、上記シャトルを上記入口へと導く、上記シャトル回転部材であるガイドを備えることを特徴とするシャトル集め機。
【請求項５】
請求項４に記載のシャトル集め機において、
上記入口を複数有し、
上記隣り合うガイドの上記入口からの距離を異ならせることを特徴とするシャトル集め機。
【発明の詳細な説明】
【技術分野】
【０００１】
本発明は、シャトル集め機に関する。
【背景技術】
【０００２】
従来は、バドミントンシャトル収集具として、中央に取っ手が取り付けられたコの字状の棒が提案されていた。このバドミントンシャトル収集具は、そのコの字状の中に、バドミントンシャトルを寄せ集めることで、限られた領域内にバドミントンシャトルを収集するものである（特許文献１参照）。
【先行技術文献】
【特許文献】
【０００３】
【特許文献１】登録実用新案第３１８１５９７号
【発明の概要】
【発明が解決しようとする課題】
【０００４】
特許文献１のバドミントンシャトル収集具は、バドミントンシャトルを重ね合わせるなどして、束にすることができない。そこで本発明の目的は、シャトルを束にして、収集することができるシャトル集め機を提供することである。
【課題を解決するための手段】
【０００５】
上記の課題を解決するために、本発明のバドミントンのシャトルを収集するシャトル集め機は、床面を移動する本体を備え、本体には、床面と対向する底面から側面に渡って形成される、シャトルを収容可能な溝を有し、溝の幅寸法は、シャトルの長さ寸法よりも小さく、本体は、シャトルがコックを中心に床面を回転する性質を利用して、シャトルのコックを溝の側面側の入口に向かせるように向きを揃えるシャトル回転部材を備える。
【０００６】
上記の課題を解決するために、本発明のバドミントンのシャトルを収集するシャトル集め機は、床面を移動する本体を備え、本体は、その側面にシャトルを収容可能な穴を有し、穴の径は、シャトルの長さ寸法よりも小さく、本体は、シャトルがコックを中心に床面を回転する性質を利用して、シャトルのコックを穴の入口に向かわせるように向きを揃えるシャトル回転部材を備える。
【０００７】
ここで、入口には、シャトルがそのコック側から入口に入ることを許容するが、羽根側からは入口に入ることを阻止し、且つ、一旦シャトルが入口から入ったら、シャトルが入口から出る逆流を防止する弁を備えることとしてもよい。
【０００８】
また、入口の周囲から、シャトルを入口へと導くガイドを備えることとしてもよい。
【０００９】
また、入口を複数有し、隣り合うガイドの入口からの距離を異ならせることとしてもよい。
【発明の効果】
【００１０】
本発明によって、シャトルを束にして、収集することができるシャトル集め機を提供することができる。
【図面の簡単な説明】
【００１１】
【図１】シャトル集め機の上面図である。
【図２】シャトル集め機の正面図である。
【図３】シャトル集め機の底面図である。
【図４】シャトルの正面図である。
【図５】シャトルがコックを中心に床面を回転する性質について、示す図である。
【図６】シャトルが溝の中へ収容される前の状態を示す図である。
【図７】シャトルが溝の中へ収容された後の状態を示す図である。
【図８】多数のシャトルが束となったものを示す図である。
【図９】ガイドによってシャトルを回転しないように突いた状態を示す図である。
【図１０】ガイドによってシャトルを回転するように突いた状態を示す図である。
【発明を実施するための形態】
【００１２】
（本発明の実施の形態に係るシャトル集め機の構成）
以下図面を用いて、本発明の実施の形態に係るシャトル集め機の構成を説明する。図１は、シャトル集め機１の上面図である。図２は、シャトル集め機１の正面図である。図３はシャトル集め機１の底面図である。図４は、シャトルＳの正面図である。
【００１３】
シャトル集め機１は、床面Ｆを移動する本体２を備える。そして、本体２は、床面Ｆと対向する底面３から側面４に渡って形成される、シャトルＳを収容可能な溝５を３つ有する。溝５の幅寸法Ｗは、シャトルＳの長さ寸法Ｌよりも小さい。本体２は、シャトルＳがコックＳ１を中心に床面Ｆを回転する性質を利用して、シャトルＳのコックＳ１を溝５の側面４側の入口６に向かせるように向きを揃えるシャトル回転部材となるガイド１０（後述する）を備える。
【００１４】
ここで、入口６は、シャトルＳがそのコックＳ１側から入口６に入ることを許容するが、羽根Ｓ２側からは入口６に入ることを阻止する弁８を備える。また、弁８は、一旦シャトルＳが入口６から入ったら、シャトルＳが入口６から出る逆流を防止する。弁８は、入口６のうち、溝５の内壁面に接着剤により、固定する板状体である。弁８の素材は、ポリエチレンテレフタレート等からなる薄いプラスティックであり、小さな曲げ応力に対して、容易に変形し、その曲げ応力が除去されると、元の形状に戻る。
【００１５】
また、入口６の周囲には、シャトルＳを入口６へと導くガイド１０を備える。ガイド１０は、図２における入口６の横方向の両端からそれぞれ突出する２本の棒状の部材である。また、２本のガイド１０の間隔Ｗ２は、図３に示すように、入口６から離れるにしたがって、広がっている。
【００１６】
また、３つの入口６において、隣り合うガイド１０Ａ，１０Ｂの入口６からの距離Ｌ２，Ｌ３は異なっている。なお、ガイド１０Ａは、ガイド１０Ｂよりもその距離Ｌ２が短い。また、ガイド１０Ａの先端Ｔ１は、ガイド１０Ｂの先端Ｔ２と近接している。
【００１７】
本体２は、床面Ｆを移動するための一組のタイヤ１１を有している。一組のタイヤ１１は、車軸１２によって回転可能とされている。また、本体２は、車軸１２の中央部分外周全域と摺動し、本体２を移動させるために操作する取っ手１３を有している。また、本体２は、取っ手１３を一定方向に倒す動作を可能とする凹んだ部分である凹部１４を有している。
【００１８】
（本発明の実施の形態に係るシャトル集め機の動作）
シャトル集め機１の動作を説明する。本体２が床面Fを移動する動作は、上述の一組のタイヤ１１の回転によって可能とされている。
【００１９】
図５は、シャトルＳがコックＳ１を中心に床面Fを回転する性質について、示す図である。図５に示す左のシャトルＳは、回転しながら矢印に沿って右のシャトルＳの位置へと移動する。また、右のシャトルＳは、回転しながら矢印に沿って左のシャトルＳの位置へと移動する。シャトルＳは、コックＳ１及び、羽根側Ｓ２が床面Fに接触している状態では、外力が付与されると、コックＳ１を中心に床面Fを回転する性質を有している。この理由は、シャトルＳのうち、羽根側Ｓ２よりもコックＳ１のほうが、比重が高いからである。
【００２０】
そこで、シャトルＳが、床面Fに転がっている状態では、ガイド１０の先端Ｔ１，Ｔ２で突かれると、シャトルＳは、図５に示すように床面Fを回転する。その回転の結果、シャトルＳは、コックＳ１が入口６に向かうようになる。その後、本体２をシャトルＳに近づけると、ガイド１０は、コックＳ１が入口６に向かった状態で、シャトルＳを入口６へと導く。さらに本体２をシャトルＳに近づけると、シャトルＳは弁８を押し広げながら、コックＳ１側から入口６を通過し、溝５の中へ収容される。図６は、シャトルＳが溝５の中へ収容される前の状態を示す図である。図７は、シャトルＳが溝５の中へ収容された後の状態を示す図である。
【００２１】
なお、シャトルＳが溝５の中へ収容された後は、本体２を今までとは逆の方向へ移動させても、シャトルＳの羽根側Ｓ２が弁８に引っかかるため、シャトルＳが入口６から溝５の外に出て行く逆流は防止される。
【００２２】
多数のシャトルＳに対して、図５に示すような回転をさせ、図６及び図７に示すような溝５の中への収容する操作をすると、シャトルＳは、溝５の中で同じ方向に重なり合って、束となる。その状態で取っ手１３を操作し、本体２を床面Fから引き離すと、シャトルＳが束となって床面F上に置かれた状態となる。図８は、多数のシャトルＳが束となったものを示す図である。
【００２３】
３つの入口６において、隣り合うガイド１０Ａ，１０Ｂの入口６からの距離Ｌ２，Ｌ３が異なっている。仮に距離Ｌ２，Ｌ３が同じ場合には、ガイド１０Ａの先端Ｔ１とガイド１０Ｂの先端Ｔ２とが近接しているため、図９に示すように、先端Ｔ１，Ｔ２の双方でバランスよくシャトルＳを突く可能性がある。すると、図５に示す回転がされ難くなる。そのため、図１０に示すように距離の長いガイド１０Ｂで、優先的にシャトルＳをバランス悪く突いて、図５に示す回転を容易にしている。なお、図９は、ガイド１０によってシャトルＳを回転しないように突いた状態を示す図である。図１０は、ガイド１０によってシャトルＳを回転するように突いた状態を示す図である。
【００２４】
（本発明の実施の形態に係るシャトル集め機１の効果）
シャトル集め機１は、溝５の中でシャトルＳを同じ方向に重なり合わせて、シャトルＳを束にすることができる。また、凹部１４は、取っ手１３を一定方向に倒す動作を可能としているため、シャトル集め機１を操作する者が一定の場所にいながら、本体２が床面Fを移動させることができる。また、 溝５の幅寸法Ｗは、シャトルＳの長さ寸法Ｌよりも小さいため、溝５内でシャトルＳが方向を変えることはない。
【００２５】
（他の形態）
上記本発明の実施の形態に係るシャトル集め機１は、本発明の好適な形態であるが、本発明はこの形態に限らず、本発明の要旨を逸脱しない範囲で、変形実施することができる。
【００２６】
本体２は、溝５を有している。しかし本体２は、溝５を有しなくてもよい。例えば、本体２の側面４にシャトルＳを収容可能な穴を有することとしてもよい。その穴の径は、シャトルＳの長さ寸法Ｌよりも小さくすることが望ましい。その穴を設けることで、シャトルＳを収容する溝５と同様の機能をその穴に担わせることができる。また、その穴に予めシャトルＳのケースとなる筒状の部材を挿入しておくことで、その穴にシャトルＳを収集した後、その筒状の部材ごとその穴から取り出し、シャトルＳの束がケースに挿入された状態のものとすることができる。
【００２７】
上記の穴を本体２に設けることで、シャトルＳを束として取り出す際に、取っ手１３を操作し、本体２を床面Fから引き離す必要が無くなる。
【００２８】
また、弁８は必須の構成要素ではないため、取り付けないこととすることができる。ガイド１０の先端Ｔ１，Ｔ２がシャトルＳを回転させる結果、シャトルＳは、コックＳ１が入口６に向かうようになる。その後、本体２をシャトルＳに近づけると、ガイド１０は、コックＳ１が入口６に向かった状態で、シャトルＳを入口６へと導くことで、シャトル集め機１は、溝５の中でシャトルＳを同じ方向に重なり合わせて、シャトルＳを束にすることができる。
【００２９】
そのように弁８を取り付けない場合には、シャトルＳが入口６から出る逆流を防止するために、溝５の入口６とは反対側から吸気する吸気装置を取り付けることが望ましい。この吸気装置は、弁８を取り付ける場合にも取り付けることができる。その吸気装置によって、一旦シャトルＳが入口６から溝５の中に入れば、その状態をその吸気力で維持することができる。
【００３０】
また、ガイド１０は必須の構成要素ではないため、取り付けないこととすることができる。シャトルＳを床面Fで回転させるためには、ガイド１０の先端Ｔ１，Ｔ２を用いなくてもよい。ガイド１０の先端Ｔ１，Ｔ２の代わりに、棒状部材または熊手状部材などでシャトルＳを突つくことで、シャトルＳを床面Fで回転させることができる。
【００３１】
また、シャトル回転部材としてガイド１０を挙げている。しかしながら、シャトルＳがコックＳ１を中心に床面Ｆを回転する性質を利用して、シャトルＳのコックＳ１を入口６に向かせるように向きを揃えるシャトル回転部材には、シャトルＳに対して、送風する装置等もある。
【００３２】
また、３つの入口６において、隣り合うガイド１０Ａ，１０Ｂの入口６からの距離Ｌ２，Ｌ３は異なっている。しかしながら、３つの入口６が十分離れている等により、隣り合うガイド１０Ａ，１０Ｂが近接していない等の場合には、距離Ｌ２，Ｌ３を等しくしてもよい。
【００３３】
また、取っ手１３は本体２を移動させるように操作する際に、車軸１２の中央部分外周全域と摺動する。しかし、取っ手１３は車軸１２とは接触しないような構成としてもよい。
【００３４】
また本体２は、一組のタイヤ１１を有している。しかし、タイヤ１１の数は、適宜変更することができる。例えば、タイヤ１１の数は３つ、４つなどとしてもよい。また、タイヤ１１に代えて、キャスター又はボールキャスターなどの移動部材を本体２が備えることとしてもよい。
【符号の説明】
【００３５】
１  シャトル集め機
２  本体
３  底面
４  側面
５  溝
６  入口
８  弁
１０  ガイド  （シャトル回転部材）
Ｓ  シャトル
Ｓ１  コック
Ｗ  幅寸法
Ｆ  床面
【要約】      （修正有）【課題】シャトルを束にして、収集することができるシャトル集め機を提供する。【解決手段】シャトル集め機１は、床面Fを移動する本体２を備える。そして、本体２は、床面Fと対向する底面から側面に渡って形成される、シャトルを収容可能な溝５を３つ有する。溝５の幅寸法Ｗは、シャトルの長さ寸法よりも小さい。本体２は、シャトルがコックを中心に床面Fを回転する性質を利用して、シャトルのコックを溝５の側面側の入口６に向かせるように向きを揃えるシャトル回転部材となるガイド１０を備える。【選択図】図１【図１】
0005637581.tif 000002
【図２】
0005637581.tif 000003
【図３】
0005637581.tif 000004
【図４】
0005637581.tif 000005
【図５】
0005637581.tif 000006
【図６】
0005637581.tif 000007
【図７】
0005637581.tif 000008
【図８】
0005637581.tif 000009
【図９】
0005637581.tif 000010
【図１０】
0005637581.tif 000011